(57)【特許請求の範囲】
【請求項１】
既設地下構造物（１）と新設・既設地下構造物（２）との接続部（３）に、既設地下構造物（１）と新設・既設地下構造物（２）を接続する水平アンカー（４）と既設地下構造物（１）と新設・既設地下構造物（２）を接続する垂直アンカー（５）を十字に配置し、既設地下構造物（１）から上方に突出する垂直アンカー（５）を逆梁である新設側縦断梁（６）で受けて、逆梁である新設側縦断梁（６）で既設地下構造物（１）を抱き込むように構成し、該構成を開削トンネルの切拡げ工事に適用することを特徴とする新設・既設地下構造物の接続構造。
【請求項２】
請求項１記載の新設・既設地下構造物の接続構造において、線路方向に対しては逆梁である新設側縦断梁（６）の効果によって、線路横断方向に対しては新旧地下構造物が一体となって抵抗することにより、既設地下構造物の断面力の増加を抑制することを特徴とする新設・既設地下構造物の接続構造。
【発明の詳細な説明】
【技術分野】
【０００１】
本発明は、新設・既設地下構造物の接続構造に関するものである。
【背景技術】
【０００２】
従来、開削トンネルを拡幅する場合は、既設躯体を一部開口して新設躯体を接続することが多い。
【先行技術文献】
【特許文献】
【０００３】
【特許文献１】なし
【非特許文献】
【０００４】
【非特許文献１】なし
【発明の概要】
【発明が解決しようとする課題】
【０００５】
しかしながら、図３（ａ）に示す従来構造（１）の重ね継手の場合は、施工性・工期の面では、鉄筋のはつり出しや、既設躯体の仮受けが必要になり、工期が長くなる。既設躯体への影響の面では、既設躯体の断面力増加は中程度であり、旅客への影響の面では、仮受けのための通路占有・必要（大）であり、コスト比較（総合評価）では、△である。
【０００６】
図３（ｂ）に示す従来構造（２）の水平アンカーの場合は、施工性・工期の面では、鉄筋のはつり出しは不要、既設躯体の仮受けが必要になり、工期はやや長くなる。既設躯体への影響の面では、既設躯体の断面力増加は大であり、旅客への影響の面では、仮受けのための通路占有・必要（大〜中）であり、コスト比較（総合評価）では、△であるといった課題があつた。
【０００７】
本発明は、上記状況に鑑みて、工期が短く、既設躯体の断面力増加が小さく、仮受けのための通路占有が不要なコストダウンを図ることができる、新設・既設地下構造物の接続構造を提供することを目的とする。
【課題を解決するための手段】
【０００８】
本発明は、上記目的を達成するために、
〔１〕新設・既設地下構造物の接続構造において、既設地下構造物（１）と新設・既設地下構造物（２）との接続部（３）に、既設地下構造物（１）と新設・既設地下構造物（２）を接続する水平アンカー（４）と既設地下構造物（１）と新設・既設地下構造物（２）を接続する垂直アンカー（５）を十字に配置し、既設地下構造物（１）から上方に突出する垂直アンカー（５）を逆梁である新設側縦断梁（６）で受けて、逆梁である新設側縦断梁（６）で既設地下構造物（１）を抱き込むように構成し、この構成を開削トンネルの切拡げ工事に適用することを特徴とする。
【０００９】
〔２〕上記〔１〕記載の新設・既設地下構造物の接続構造において、線路方向に対しては逆梁である新設側縦断梁（６）の効果によって、線路横断方向に対しては新旧地下構造物が一体となって抵抗することにより、既設地下構造物の断面力の増加を抑制することを特徴とする。
【発明の効果】
【００１０】
本発明によれば、工期が短く、既設躯体の断面力増加が小さく、仮受けのための通路占有が不要なコストダウンを図ることができる。
【図面の簡単な説明】
【００１１】
【図１】本発明の実施例を示す新設・既設地下構造物の接続構造の模式図である。
【図２】従来と本発明の実施例を対比した拡幅工事の模式図である。
【図３】従来の拡幅工事の新設・既設地下構造物の接続構造と本発明の拡幅工事の新設・既設地下構造物の接続構造の比較を示す図である。
【図４】本発明の拡幅工事の施工工程図である。
【図５】本発明の拡幅工事のアンカー継手の詳細な模式図である。
【図６】本発明の拡幅工事のアンカー継手の曲げ載荷試験の様子を示す図である。
【実施例】
【００１２】
以下、本発明の実施の形態について詳細に説明する。
【００１３】
図１は本発明の実施例を示す新設・既設地下構造物の接続構造の模式図、図２は従来と本発明の実施例を対比した拡幅工事の模式図であり、図２（ａ）は従来の拡幅工事の図面代用写真、図２（ｂ）は本発明の拡幅工事の図面代用写真である。
【００１４】
これらの図において、１は既設地下構造物、２は新設・既設地下構造物、この既設地下構造物１と新設・既設地下構造物２との接続部３は水平アンカー４と垂直アンカー５で十字に配置し、逆梁である新設側縦断梁６で受ける。
【００１５】
図３は従来の拡幅工事の新設・既設地下構造物の接続構造と本発明の拡幅工事の新設・既設地下構造物の接続構造の比較を示す図である。
【００１６】
従来の拡幅工事の新設・既設地下構造物の接続構造は、図３（ａ）および図３（ｂ）に示したような課題を有するのに対して本発明によれば、図３（ｃ）に示すように、施工性・工期の面では、鉄筋のはつり出しや、既設躯体の仮受けが不要になり、工期が短くなる。既設躯体への影響の面では、既設躯体の断面力増加は小であり、旅客への影響の面では、仮受けのための通路占有が不要であり、コスト比較（総合評価）では、１０％程度コストを低減できる。
【００１７】
図４は本発明の拡幅工事の施工工程図である。
【００１８】
図４を参照しながら説明する。
【００１９】
ステップＳ１：（１）杭打（夜間）、（２）覆工（夜間）、（３）掘削工、（４）土留支保工を施す。ここで、１１は中間支持杭、１２は土留支保工である。
【００２０】
ステップＳ２：（１）アンカー工を施す。ここで、１３はアンカー工である。
【００２１】
ステップＳ３：（１）新設躯体築造、（２）埋め戻し、（３）切り梁盛替えを施す。ここで、１４は新設躯体築造、１５は埋め戻し、１６は切り梁盛替えである。
【００２２】
ステップＳ４：（１）仮り囲い設置、（２）サポート設置、（３）既設側壁の部分撤去工を施す。ここで、１７は仮り囲い設置、１８はサポート設置、１９は既設側壁の部分撤去工、２０はコア削孔である。
【００２３】
ステップＳ５：（１）本支柱・基礎設置を施す。ここで、２１は本支柱・基礎設置であり、上床版受けＨ鋼なしである。
【００２４】
ステップＳ６：（１）埋め戻しを行う。
【００２５】
図５は本発明の拡幅工事のアンカー継手の詳細な模式図、図６はそのアンカー継手の曲げ載荷試験の様子を示す図である。
【００２６】
これらの図において、水平アンカー筋２３を既設側部材２２の中心付近に配置する。新設側縦断梁（逆梁）２４に突起部２５、補強鉄筋２６、鉛直アンカー筋２７を配置する。
【００２７】
そこで、図６に示すように、新設側縦断梁（逆梁）２４の曲げ載荷試験を行う。
【００２８】
このように、本発明のアンカー継手によれば、従来の重ね継手と比較して、継ぐ既設側の鉄筋がない場合にも曲げ載荷試験が可能である。また、鉄筋のはつり出し作業が不要である。
【００２９】
なお、本発明は上記実施例に限定されるものではなく、本発明の趣旨に基づき種々の変形が可能であり、これらを本発明の範囲から排除するものではない。
【産業上の利用可能性】
【００３０】
本発明の新設・既設地下構造物の接続構造は、工期が短く、既設躯体の断面力増加が小さく、仮受けのための通路占有が不要なコストダウンを図ることができる、新設・既設地下構造物の接続構造として利用可能である。
【符号の説明】
【００３１】
１  既設地下構造物
２  新設・既設地下構造物
３  既設地下構造物と新設・既設地下構造物との接続部
４  水平アンカー
５  垂直アンカー
６  逆梁である新設側縦断梁
１１  中間支持杭
１２  土留支保工
１３  アンカー工
１４  新設躯体築造
１５  埋め戻し
１６  切り梁盛替え
１７  仮り囲い設置
１８  サポート設置
１９  既設側壁の部分撤去工
２０  コア削孔
２１  本支柱・基礎設置
２２  既設側部材
２３  水平アンカー筋
２４  新設側縦断梁（逆梁）
２５  突起部
２６  補強鉄筋
２７  鉛直アンカー筋
【図１】
0006474653.tif 000002
【図２】
0006474653.tif 000003
【図３】
0006474653.tif 000004
【図４】
0006474653.tif 000005
【図５】
0006474653.tif 000006
【図６】
0006474653.tif 000007